Podtech/llm-jp-corpus-v4-ja_patent huggingface dataset:
(57)【要約】      （修正有）【課題】釣魚に傷を付けないようにし、釣り損じすることが少ない釣針を提供する。【解決手段】針先部１における通常あごまたはもどりを設けるべき付近２に、複数の溝３，３を形成する。このようにすることで、釣魚に傷を付けずに、しかも、釣り損じしないという、相反する要望を満たすことができる。【選択図】図１
0003135264.tif 000002
【実用新案登録請求の範囲】
【請求項１】
針先部におけるあごまたはもどりを設けるべき付近に、複数の溝を形成したことを特徴とする釣針。
【請求項２】
小さいサイズの針については、溝の数を少なくした請求項１記載の釣針。
【考案の詳細な説明】
【技術分野】
【０００１】
本考案は、いわゆるスレ針と称して針先部に通常の『あご』または『もどし（もどり）』が設けられていない釣針に関するものである。
【背景技術】
【０００２】
近年、競技釣りが盛んで、いわゆるフィッシュ・アンド・リリースと称して、釣魚を釣った場所に戻すような習慣が定着しつつある。このような慣習を守るためには、釣魚に傷を付けないようにしなければならない。
【０００３】
このような趣旨で考え出されたのがスレ針で、欧米でも早くからＢＡＲＢＬＥＳＳ  ＨＯＯＫＳと称され、鮭や鱒を釣るのに愛用されてきた。この針を使えば、釣魚に傷を付けることがなく、リリースしてやると元気に戻っていくので、上記慣習を守るのには最適な釣針であると言える。
【０００４】
しかしながら、このスレ針を使用した場合には、慣れないと釣損じが起り得る。針先部に通常の『あご』または『もどり（もどし）』が設けられていないからである。それを解消するために、針先先端に近い軸部分に、ラセン状、又はＸラセン状、又はリング状に複数の溝を形成した釣針が提案されている（例えば、特許文献１参照）。
【０００５】
【特許文献１】登録実用新案第３０２６０５２号公報
【考案の開示】
【考案が解決しようとする課題】
【０００６】
このようにすれば、釣り損じを解消することはできるであろうが、針軸全周にわたって溝が形成されているため、釣魚に傷を付けないという面では適していると言うことはできない。
本考案は、釣魚に傷を付けずに、しかも、釣り損じしないという、相反する要望を満たすことができる最も理想的な釣針を提供することを目的とするものである。
【課題を解決するための手段】
【０００７】
上記目的を達成するために、本考案においては、針先部におけるあごまたはもどりを設けるべき付近に、複数の溝を形成した。このようにすることで、釣魚に傷を付けずに、しかも、釣り損じしないという、相反する要望を満たすことができる。
【０００８】
小さいサイズの針については、溝の数を少なくするとよい。例えば、比較的大きいサイズの針については、５本程度の溝を形成し、小さいサイズの針については、３本程度と溝の数を少なくするのがよい。このようにすることで、小さいサイズの針に対する溝形成加工も簡単に行うことができる。
【考案の効果】
【０００９】
請求項１記載の考案によれば、釣魚に傷を付けずに、しかも、釣り損じしないという、相反する要望を満たすことができる。
【００１０】
請求項２記載の考案によれば、小さいサイズの針に対する溝形成加工も簡単に行うことができる。
【考案を実施するための最良の形態】
【００１１】
本考案による釣針の一例を、図面に基づいて詳細に説明する。図１に示すように、釣針Ａの針先部１における通常『あご』または『もどり（もどし）』を設けるべき付近２に、複数の溝３，３が形成されている。このようにすることで、釣魚に傷を付けずに、しかも、釣り損じすることがない。この２つの要望は本来相反することであるが、上記構成とすることによって、この相反する要望を満たすことができる最も理想的な釣針を提供することができる。
【００１２】
前記溝３は、出来るだけ細くて浅くすることが望ましい。そのようにした方が、釣魚により傷を付けないようにすることができるのみならず、溝３を太くかつ深く形成した場合よりも折れにくいからである。
【００１３】
また、前記溝３の数は３〜５本程度とするのが好ましく、小さいサイズの針については、溝の数を少なくするとよい。例えば、比較的大きいサイズの針については、５本程度の溝を形成し、小さいサイズの針については、３本程度と溝の数を少なくするのがよい。このようにすることで、小さいサイズの針に対する溝形成加工も簡単に行うことができる。
【００１４】
このように、釣針Ａの針先部１の通常『あご』または『もどり（もどし）』を設けるべき付近２に、複数の溝３を形成することにより、釣魚に傷を付けずに、しかも、釣り損じすることがない。
【００１５】
なお、ここに示す例は本考案を実施するための最良の形態の一例であって、本考案の実施に際して、各部の形状は図示した態様の場合のみに限定されるものではなく、本考案の要旨に沿って種々の設計変更が可能である。
【図面の簡単な説明】
【００１６】
【図１】本考案を実施するための最良の形態の一例を示す拡大側面図である。
【符号の説明】
【００１７】
１…針先部、２…あごまたはもどりを設けるべき付近、３…溝、Ａ…釣針。
【図１】
0003135264.tif 000003
(57)【要約】      （修正有）【課題】従来のように、マットエンボス加工ポリエチレンフィルムを用いる合成樹脂製の包装袋で、該フィルムの裏面に印刷部を形成しても、該印刷部のインキが付着しない合成樹脂製ラミネート袋を開発・提供する。【解決手段】合成樹脂製ラミネート袋において、表面に、マットエンボス加工ポリエチレンフィルム１を用い、該マットエンボス加工ポリエチレンフィルムの裏面に、文字・図形・記号・色彩等の一、あるいは、これら複数の組み合わせからなる印刷を施して印刷部Ｘとし、この印刷されたマットエンボス加工ポリエチレンフィルム１に、接着剤２を介して低密度ポリエチレンフィルム３を貼り合わせてラミネート袋としたことを特徴とする包装袋。【選択図】図１
0003135232.tif 000002
【実用新案登録請求の範囲】
【請求項１】
合成樹脂製ラミネート袋において、マットエンボス加工ポリエチレンフィルム（１）を用い、該フィルムの裏面（１ａ）に、印刷を施して印刷部（Ｘ）とし、この印刷されたマットエンボス加工ポリエチレンフィルム（１）に、接着剤（２）を介して低密度ポリエチレンフィルム（３）を貼り合わせてラミネートし、これを素材としたことを特徴とする合成樹脂製ラミネート袋。
【考案の詳細な説明】
【技術分野】
【０００１】
この考案は、合成樹脂製ラミネート袋に関するものである。
【背景技術】
【０００２】
従来、合成樹脂フィルムでありながら、艶消し加工（または、梨地加工ともいう）の施されたマットエンボス加工ポリエチレンのフィルムは、肌触りがよく、しかも、マット仕上げ、即ち、艶消し仕上げとなり、ピカピカ光る安価な素材ではなく、この素材で形成する包装用袋は、内部の商品までも高級感を与え、大変評判がよいものである。
【０００３】
しかし、このマット仕上げ（ＭＡＴ＝艶消し仕上げ）エンボスポリエチレンのフィルムに印刷を施す際には、フィルムの裏面に印刷するものであり、マットエンボスポリエチレンのフィルムの表面から見ると、実に趣のある奥ゆかしい印刷となり、高級感の漂うものとなるが、印刷面と内部に収納する商品が接触するため、肝心の商品に印刷インクが付着することがあり、クレームが多いという欠点があった。
【考案の開示】
【考案が解決しようとする課題】
【０００４】
そこで、この考案は、従来のように、この裏面に印刷されたエンボス加工ポリエチレンフィルムを用いても、印刷インキが付着しない合成樹脂製ラミネート袋を開発・提供することにある。
【課題を解決するための手段】
【０００５】
そこで、この考案は、マットエンボス加工ポリエチレンフィルムを表面に用い、該マットエンボス加工ポリエチレンのフィルム裏面に印刷し、このフィルムに接着剤を介して低密度ポリエチレンフィルムを貼り合わせて印刷部をコーティングしてラミネートした合成樹脂製ラミネート袋を開発・提供することにある。
【考案の効果】
【０００６】
この考案によると、フィルム裏面に印刷したマットエンボス加工ポリエチレンフィルムを、表面に用い、該フィルムに接着剤を介して低密度ポリエチレンフィルムを貼り合わせてラミネートしたことにより、従来のように高級感の漂う、柔らかい素材の袋を用いることができ、また、マットエンボス加工ポリエチレンフィルムの裏面の印刷箇所は低密度ポリエチレンフィルムで被覆され、フィルムの表面には露出せず、また、印刷インキは、袋内部に収納した商品にも付着しない等極めて有益なる効果を奏する。
【考案を実施するための最良の形態】
【０００７】
この考案は、合成樹脂製ラミネート袋において、マットエンボス加工ポリエチレンフィルムの裏面に印刷層を設け、該印刷層に接着剤を介して低密度ポリエチレンフィルムを貼り合わせてラミネートし、これを素材とした合成樹脂製ラミネート袋から構成される。
【実施例】
【０００８】
以下、この考案の好適な一実施例について、図１に基づいて説明すると、合成樹脂製ラミネート袋において、マットエンボス加工ポリエチレンフィルム（１）を用い、該フィルムの裏面（１ａ）に、印刷を施して印刷部（Ｘ）とし、この印刷されたマットエンボス加工ポリエチレンフィルム（１）に、接着剤（２）を介して低密度ポリエチレンフィルム（３）を貼り合わせてラミネートし、これを素材としたことを特徴とする合成樹脂製ラミネート袋から構成される。
【０００９】
尚、（Ｙ）は、この考案に収納した商品であり、印刷部（Ｘ）には、文字・図形・記号・色彩等の印刷を施したものであり、印刷層は、これらのうち１又は複数の組み合わせをしたものであってもよい。
【００１０】
マットエンボス加工ポリエチレンフィルム（１）とは、マット仕上げ（ＭＡＴ＝艶消し仕上げ）エンボスポリエチレンのフィルムである。
【００１１】
さらに、低密度ポリエチレンフィルム（３）は、ＬＤＰＥともいい、密度範囲約０．９１０〜０．９２５のポリエチレンをいうが、比較的柔軟性があり、中熱に耐えるものである。
【産業上の利用可能性】
【００１２】
この考案によると、合成樹脂製ラミネート袋の技術を確立し、かつ、実際に使用することにより、産業上の利用可能性を有する。
【図面の簡単な説明】
【００１３】
【図１】この考案の一実施例を示す一部欠截断面図である。
【図２】この考案の一実施例を示す斜視図である。
【符号の説明】
【００１４】
１  マットエンボス加工ポリエチレンフィルム
１ａ  シート裏面
２  接着剤
３  低密度ポリエチレンフィルム
Ｘ  印刷部
Ｙ  商品
【図１】
0003135232.tif 000003
【図２】
0003135232.tif 000004
(57)【要約】      （修正有）【課題】練習時も競泳時も共通して使用できる様、冷却効果が良く、又水の抵抗も少ないスイミングキャップを提供する。【解決手段】防水性素材を使用して成形され、後半部に複数の通水穴を設けたスイミングキャップを提供することによって冷却効果と水の抵抗減少効果を両立させる。【選択図】図１
0003135234.tif 000002
【実用新案登録請求の範囲】
【請求項１】
防水性素材を使用して成形され、後半部に複数の通水用の穴を設けたことを特徴とするスイミングキャップ。
【考案の詳細な説明】
【技術分野】
【０００１】
本考案は、競泳を含む水泳練習などで使用するスイミングキャップに関するものであり、水の抵抗を減らす効果を持ちながら、頭部の温度上昇を防止して長時間の練習に適するスイミングキャップを提供することを目的とするものである。
【背景技術】
【０００２】
現在、スイミングキャップとしては大別して通水性の素材を使用して作られたものと、防水性素材を使用して作られたものがあり、前者は通水性のため練習時に水が頭部を通過するために体温上昇による頭部の温度上昇を押さえ、長時間の練習において選手の健康状態を良好に保つ利点がある。  後者は防水性の滑らかな素材のために競泳時には水の抵抗を減らし、良い記録を出すことを可能にする効果があるが、長時間の練習には冷却効果が少ない為に選手の頭部の温度が上昇し、健康上好ましくない影響が出る。
【０００３】
防水性の素材によるスイミングキャップの水の抵抗を更に減少させようとする発明はあるが、冷却の問題の解決については現在まで有効な対策は無く、選手は練習時と競泳時にキャップを通水性のものと防水性のものとを交換して使用している状態であるが、長距離の競泳の場合には最適のものが見当たらない。
【特許文献１】特許３３８２４６４
【特許文献２】特許３７３４６８６
【考案の開示】
【考案が解決しようとする課題】
【０００４】
本考案が解決しようとする課題は、上記のごとき状態を改善し、練習時も競泳時も共通して使用できる様、冷却効果が良く、又水の抵抗も少ないスイミングキャップを提供することである。
【課題を解決するための手段】
【０００５】
本考案は、上記背景の下に成立するものであり、本考案の手段は、防水性素材を使用して成形され、後半部に複数の通水穴を設けたことを特徴とするスイミングキャップを提供するものである。
【考案の効果】
【０００６】
本考案は、これまで困難だった頭部の冷却効果と、水の抵抗軽減効果の両立を可能とするものである。
【考案を実施するための最良の形態】
【０００７】
本考案のスイミングキャップの構成は、防水性素材を使用して成形され、後半部に複数の通水穴を設けたことを特徴とするスイミングキャップを構成するものである。
【実施例１】
【０００８】
以下図について本考案の実施形態について説明する。
図１は本考案の一実施形態の形状を示す上面図、図２はその側面図である。  図１及び図２において、１は防水素材で成形されたスイミングキャップであり、Ａが前方を示す。  ２は頭部への装着を確実にするための弾力を持った縁部分であり、装着時にこの部分からの通水性は遮断された状態となる。  一般的にはスイミングキャップ１全体が伸縮性を持った素材で成形されることが望ましい。  ３は通水用の穴であり、頭頂部より後に複数個設けられている。
【０００９】
図１及び図２に示す本考案の作用について説明する。
今、水泳時に頭部が水中にあるときは、水の流れはＡ方向からスイミングキャップ前面に当たるが、この部分が防水性の滑らかな素材であるために比較的小さな抵抗で上方及び側方に流れる。  この時の上面及び側面の水の流速はむしろ選手の前進速度より速く、いわゆるベルヌーイの定理によって圧力は低下する。  従って、スイミングキャップ１内部の水及び気体は、通水用の穴３から吸い出されてスイミングキャップ１は選手の頭部に密着した状態となる。  この状態で選手が息継ぎ等の動作をすることにより頭部が水上に出ると前記圧力状態が開放されて、スイミングキャップ１内に通水用の穴３から外気及び水が吸入される。  この繰り返しによって、スイミングキャップ１内は常に外気及び水が吸入排出されることで選手の頭部を有効に冷却することができる。  尚、この場合の水の吸入排出は通水性素材のスイミングキャップにおける場合の様な水の抵抗を伴うものではなく、通水用の穴３の位置、大きさ及び個数によって最適に設定することができるものである。  望ましくは頭頂部よりやや後方の上面及び側面に６ｍｍ程度の複数個の穴を明けることである。
【００１０】
又、前進速度が無い状態で頭部を水中に沈めたときは、水に作用する重力がなくなるので、頭髪の弾力などでスイミングキャップ１はやや膨らみ通水用の穴３から水を吸い込むこととなるが、頭部を水上に出すと、内部の水は重力で通水用の穴３から排出されることは容易に確認することが出来る。  前記の前進時の通水とは逆になるが、このような作用で常にスイミングキャップ１内部は適度の通水状態となり、頭部の冷却が可能となる。    
【００１１】
以上の説明で明らかなごとく本考案のスイミングキャップは、滑らかな素材による水の抵抗減少効果を失うことなく、長時間練習する場合でも体温上昇に伴う頭部の温度上昇を効率よく冷却することができるものであり、水泳競技の質の向上、及び選手の健康状態改善の為の効果は極めて著しい。
【図面の簡単な説明】
【００１２】
【図１】本考案の一実施形態構造を示す上面図である。
【図２】本考案の一実施形態構造を示す側面図である。
【符号の説明】
【００１３】
１：スイミングキャップ
２：縁部分
３：通水用の穴
【図１】
0003135234.tif 000003
【図２】
0003135234.tif 000004
(57)【要約】 【課題】帽子のビン皮に汗がしみ、帽子の表面に汚れがしみでるとか、帽子のビン皮に、ファンデーションが付き、再度、着帽する時に、不快であると言う意見を聞き、防汚対策として使用することができ、付随して、防暑対策（熱中対策）、防寒対策として、帽子本体に帽子の附属物及び帽子のパーツ（ブリム、クラウン）を、容易に、帽子に装着したり、取りはずしたりすることができるワンタッチ  アタッチメント（留め具）。【解決手段】ワンタッチ  アタッチメント（留め具）を、帽子の附属物及び帽子のパーツに取りつけて、帽子の構造を利用して、帽子本体に帽子の附属物及び帽子のパーツを簡単に装着したり、取りはずすことを可能にする事ができる留め具【選択図】    図１
0003135207.tif 000002
【実用新案登録請求の範囲】
【請求項１】
ワンタッチ  アタッチメント（留め具）を帽子の附属物に取り付けることにより、帽子本体に帽子の附属物を装着及び取りはずしすることが、容易に出来る留め具。
【請求項２】
ワンタッチ  アタッチメント（留め具）を帽子のパーツ（ブリム、クラウン）に取り付
けることにより、帽子本体に帽子のパーツ（ブリム、クラウン）を装着及び取りはずし
することが、容易に出来る留め具。
【考案の詳細な説明】
【技術分野】
【０００１】
本考案は、帽子に、帽子の附属物（汗とり布、遮光性シート、保冷剤、保温剤、造花、耳アテ）や帽子のパーツ（クラウン、ブリム）を取り付けるとき使用するワンタッチ  アタッチメント(留め具)
【背景技術】
【０００２】
帽子に、上述の物を取り付けるとき、従来は、両面テープ、着脱自在の布テープ、ホック、ボタン、ファスナーなどの材料を使用している。
【考案の開示】
【考案が解決しようとする課題】
【０００３】
上記方法は、帽子に、それぞれ取り付ける使う材料によって、製造者及び購買者が、附帯加工をしなければならないうえに、その附帯加工した帽子にしか使うことしか出来ないという不便さがある。そのうえ、この附帯加工の為、帽子の構造変更とか帽子のデザインの変更が余儀なくされるという煩雑さがある。
しかし、本考案のワンタッチ  アタッチメントを、帽子の附属物や帽子のパーツに取り付けることによって、帽子自体に、帽子の構造変更や帽子のデザイン変更等煩雑な附帯加工の必要がなく、既成の帽子に、簡単に、帽子の附属物や帽子のパーツを装着し使用することが出来る。さらに、他の既成の帽子にも装着できる。つまり、使いまわしが可能で便利である。
【課題を解決するための手段】
【０００４】
本考案は、帽子の附属物（布、不織布、縫製物、保冷剤  保温剤、造花など）や帽子のパーツ（クラウン、ブリム）に、ワンタッチ  アタッチメントを取り付ける。ワンタッチ  アタッチメントは、特殊形状により、バネの機能と細部に入りやすい機能があり、既成の帽子の構造を利用し、何も、手を加えることなく、例えば、ビン皮の素材と帽子の本体の素材をミシンで結合させた部分の素材と素材の間のミシン目の間に、ワンタッチ  アタッメントの付いた附属物やパーツのアタッチメントを、挿入させて、帽子に装着する。その上、取りはずすこともできるので色々な帽子に転用できる事により問題点を解決している。
【考案の効果】
【０００５】
上述の様に、本考案のワンタッチ  アタッチメントは、既成の帽子に、帽子の附属物や帽子のパーツを、簡単に、装着できるのみだけでなく、簡単に、取りはずすこともでき、他の既成の帽子にも、装着することが出来る。つまり、使いまわしが出きて便利である。
【考案を実施するための最良の形態】
【０００６】
特殊形状のワンタッチ  アタッチメントを、帽子のクラウンと帽子のビン皮を結合させた素材と素材のミシン目の間に負荷をかけ、挿入させる。このワンタッチ  アタッチメントの形状は、バネの機能と細部に入り安く出にくいという形状の両方を加味しているため、１度、挿入した後は、バネの機能で、細部から、脱しにくい。
しかし、逆に、負荷をかければ、細部から、出やすいという利点もある。
つまり、ワンタッチ  アタッチメントにつけられた附属物やパーツは、帽子に、容易に、装着したり取りはずしたり出来る。
【実施例】
【０００７】
以下、添付図面に従って一実施例を説明する。
1のワンタッチ  アタッチメント（留め具）は、（素材は、耐久性のある金属、プラスチ
ック）を３と４の間のミシン目の間に入れる。                        
１は、バネの機能と細部へはいろうとする機能の両方が働き、１が、帽子本体に挿入されることにより、必然的に２が、帽子に装着される。
又、逆に、取りはずすときは、1の機能を利用し簡単に取りはずすことできる。
尚、２は、（図１）の場合は，上方の方に、跳ね上げて、帽子のクラウンの内部に入れて、着帽する。
【０００８】
本考案の一実施例は上記如き構成からなるものであるから、例として、（図４）でキャップが示してあるが、他の型の帽子でも利用できる。
【図面の簡単な説明】
【０００９】
【図１】汗トリ布（例）にワンタッチ  アタッチメントを付けた状態の図です。
【図２】ワンタッチ  アタッチメントで帽子の附属物や帽子のパーツを装着した状態の図です。
【図３】帽子本体に、ワンタッチ  アタッチメントをつけた汗取り布（例）を帽子本体に装着した状態の断面図です。
【図４】帽子本体に、ワンタッチ  アタッチメントをつけた汗取り布（例）を装着された帽子全体の状態の図です。
【符号の説明】
【００１０】
１  ワンタッチ  アタッチメント（留め具）
２  帽子の附属物や帽子のパーツ
３  帽子の本体
４  ビン皮  
５  ミシン目  
６  ワンタッチ  アタッチメントと２をつなぐ布
【図１】
0003135207.tif 000003
【図２】
0003135207.tif 000004
【図３】
0003135207.tif 000005
【図４】
0003135207.tif 000006
(57)【要約】【課題】  本考案は、照明が十分でない所でも化粧が出来る。【解決手段】  本考案は３鏡本体に１照明を取り付け８手持ち部分には６スウィッチを５薄型電池を４配線でつなげ電源をＯＮ・ＯＦＦ出来るようにした照明付き手鏡で、照明が無くても常に照明が鏡の正面から照射されるので影ができずきめ細かな化粧が出来るようになった。【選択図】図１
0003135289.tif 000002
【実用新案登録請求の範囲】
【請求項１】
鏡本体に照明器具を付ける事により、鏡本体と、ミラーと、鏡本体に取り付けた照明部を備えた照明付き手鏡。
【請求項２】
鏡本体に照明器具を付ける事と、スウィッチを備える請求項１記載の手鏡。
【請求項３】
請求項１又は２に記載の照明付き手鏡を備えたコンパクト。
【考案の詳細な説明】
【技術分野】
【０００１】  本考案は、鏡本体に照明器具を備えた手鏡である。
【背景技術】
【０００２】  従来は、天井照明や窓明かり等照明の照射方向に顔を合わせ化粧をしていた。
【考案の開示】
【考案が解決しようとする課題】
【０００３】  本考案は、鏡本体の部分に照明器具を設けたことで、鏡に映る部分に直接照明が当たるので、影が出来ず納得のいく化粧が出来問題を解決している。
【課題を解決するための手段】
【０００４】  本考案は鏡本体に照明器具を取り付け手持ち部分にスウィッチを設け照明をＯＮ・ＯＦＦ出来るようにした照明付き手鏡で、照明が無くても自由な状態で常に照明が鏡の正面から照射されるので影ができずきめ細かな化粧が出来るようになった。
【考案の効果】
【０００５】上述の様に、本考案の照明付き手鏡は、鏡本体に照明器具が付いているため常に顔と鏡は正対しているのでどのような状況・状態であっても片手でスウィッチを入れればきめ細かな納得のいく化粧が出来る。
【考案を実施するための最良の形態】
【０００６】  鏡の形状やデザインは自由であるが、本体上部にデザインされた照明器具（発光ダイオードＬＥＤ球）を電源である薄型電池（ボタン電池）を鏡の保護カバーとの間で配線し内蔵する。手持ち部分にはスウィッチを設け片手指先でＯＮ・ＯＦＦ出来る様になっている。
【実施例】
【０００７】以下、添付図面に従って一実施例を説明する。１は照明器具（発光ダイオードＬＥＤ球）で、２は一般的なクリヤーミラー３はミラーを貼り付ける為の鏡本体４は照明器具と電源をつなぐ配線５は電源となる電池６は電源のＯＮ・ＯＦＦスイッチ７は開閉式切換スイッチ８は手持ち部分【０００８】照明器具としては、発光ダイオード（ＬＥＤ球）を使用するので単体使用や複数個組み合わせ中央あるいは左右に自由にデザインする事により商品の付加価値を上げれる。【０００９】電源の電池は薄型ボタン電池や小型アルカリ電池を使用するので、デザインにより手持ち部分の形状は薄型や円筒状に変え対応出来る。【００１０】スウィッチは、スライドによるものやプッシュ式あるいは開閉時の接点切換型としデザインに対応する事が出来る。
【図面の簡単な説明】
【００１１】
【図１】この考案の照明付き手鏡の一実施形態を示す斜視図である。
【図２】図１の照明付き手鏡の断面図である。
【図３】図１とは異なる形態の照明付き開閉式ミラーを示す斜視図である。
【図４】図３と同様の照明付きコンパクトを示す斜視図である。
【符号の説明】
【００１１】      １  照明器具（発光ダイオードＬＥＤ球）
２  クリヤーミラー
３  鏡本体カバー部分
４  配線
５  電池（薄型ボタン電池）
６  スウィッチ（プッシュ式）
７  スウィッチ（接点切換型）
８  手持ち部分
【図１】
0003135289.tif 000003
【図２】
0003135289.tif 000004
【図３】
0003135289.tif 000005
【図４】
0003135289.tif 000006
(57)【要約】      （修正有）【課題】マンション、オフィスや公共施設・学校等に設置する掲示板で数ある掲示物の中から、重要な掲示物へ注意・喚起を促すために、掲示板の任意の面又は全面に、背面から掲示物を照らすフィルム状または板状の光源装置を組み込んだ発光式の掲示板を提供する。【解決手段】注目させたい掲示物ｄを背面より光らせる光源ｂを、掲示板a上または、掲示板前面への突出部を少なくするために掲示板aに組み込む。光源には、有機EL（Electroluminescence）または無機EL、あるいはLEDと導光板の組合せた薄厚光源を用いる。光源ｂの保護と、注目させたい掲示物ｄの保持の目的で、保護カバーcを光源ｂおよび注目させたい掲示物ｄの前面に配置するが、光源ｂの前面に掲示物ｄを保持する仕組み（粘着あるいは静電気による吸着）を施した場合は、保護カバーcは省略する。【選択図】図１
0003135287.tif 000002
【実用新案登録請求の範囲】
【請求項１】
マンション,オフィスや公共施設・学校等に設置する掲示板で、掲示面の任意の面または全面に掲示物を背面から照明する有機EL（Electroluminescence）または無機EL、あるいはLEDと導光板を組合せた薄厚の光源が一体化されている掲示板構造。
【請求項２】
掲示物を背面から照明する薄厚の光源の前面に、光源の保護と、掲示物の保持の目的で保護カバーを取り付ける掲示板構造。
【請求項３】
掲示物を背面から照明する薄厚の光源の前面に、粘着、あるいは静電気による吸着の加工を施し、画鋲やテープ等がなくても、掲示物を保持する掲示板構造。
【請求項４】
電飾部に画鋲や釘等を刺される事故を未然に防ぐために、画鋲やテープを使わずに掲示物を貼れる特殊粘着材付き掲示板と、掲示物を背面から照明する薄厚の光源の組合せた掲示板構造。
【考案の詳細な説明】
【技術分野】
【０００１】
本考案は、特定または不特定多数の人々が閲覧するマンション、オフィスや公共施設・学校等に設置する掲示板で、数ある掲示物の中から、重要な掲示物を背面の光源により光らせることで、他の掲示物より目立たせ、注意・喚起を促すことのできる構造に関するものである。
【背景技術】
【０００２】
看板や広告では、背面全面に光源を取付け、光ることで注意・喚起を促す手法は、一般に用いられてきた。
【０００３】
掲示板の上方あるいは前方に蛍光灯などの光源によって、掲示物を前面から照明する掲示板が一般に用いられてきた。
【考案の開示】
【考案が解決しようとする課題】
【０００４】
特定または不特定多数の人々が閲覧するマンション、オフィスや公共施設・学校等に設置する掲示板では、多数の掲示物が掲示されている場合、どの掲示物が重要であるかを、判断することは事実上困難であった。
【０００５】
特定の掲示物に注意・喚起を促すためには、その掲示物の色やデザインに目立つものにしたり、装飾物で目立たせることをしていたが、同じような掲示物が複数掲示されていると、どちらが重要かは、内容を読んで見なければ判らなかった。
【０００６】
重要な掲示物を掲示する位置や掲示板を決めることで、掲示物の重要性を促すことはできるが、そのルールを知らないときには、有効な手段となりえなかった。
【０００７】
光源に一般的な蛍光灯や電球を用いると、掲示板の厚みが著しく増大し、掲示板前面または後方に突出部を生じさせたり、掲示板自体の厚みを薄くできなかった。
【０００８】
掲示板の電飾部に誤って画鋲等を刺してしまう事故の危険性からも、掲示板上に光源を置くことは難しかった。
【０００９】
本考案は、マンション、オフィスや公共施設・学校等にも設置が可能な薄型で、どの掲示物が重要であるかが、感覚的、視覚的に判別できる安全な掲示板を提供することにある。
【課題を解決するための手段】
【００１０】
掲示板の一部又は任意の面に、掲示物を背面から照らす光源装置を組み込んだ発光式の掲示板を提供する。
【考案の効果】
【００１１】
本考案の掲示板によれば、次のような効果が生じる。
（１）重要な掲示物への注意・喚起を促すために、掲示物への色やデザインの工夫に時間をかけることもなく、どの掲示物が重要かが、光ることで視覚的・感覚的に理解できる。
【００１２】
（２）光源に有機EL（Electroluminescence）または無機EL、あるいはLEDと導光板の組合せた薄厚の光源を用いることで、掲示板の厚みを抑えることができ、マンション、オフィスの入口などにも設置が可能となる。
【００１３】
（３）掲示物の保持に画鋲やテープを必要としない特殊粘着材付き掲示板と、薄厚光源を組み合わせた構造としたことで、電飾部に画鋲を刺される事故を未然に防ぐことができる。
【００１４】
（４）光源に有機EL（Electroluminescence）または無機EL、あるいはLEDと導光板の組合せた薄厚の光源を用いることで、火傷や感電事故の危険性が低減できる。
【実施例】
【００１５】
本考案で作成した掲示板の設置例を以下に示す。
一般的なマンションの掲示板と同じ場所に、突出することなく設置することができ、どの掲示物が重要かが、視覚的に判断できる。
0003135287.tif 000003
0003135287.tif 000004
【産業上の利用可能性】
【００１６】
本考案は、多数の掲示物を掲示している掲示板において、本来最も注目してもらいたい掲示物を視覚的に判断できる。
この点からも、特定または不特定多数の人々が閲覧する掲示板への導入・効果が期待できる。
【図面の簡単な説明】
【００１７】
【図１】薄板の光源となる有機EL（Electroluminescence）または無機EL、あるいはLEDと導光板をベースとなる掲示板と組合せた図である。
【図１】
0003135287.tif 000005
(57)【要約】      （修正有）【課題】クリアファイル・クリアホルダーにゴムや合成樹脂等を貼り付け、クリアファイル・クリアホルダーを重ねた時、手で持ち上げた時等に滑らないようにする。【解決手段】クリアファイル・クリアホルダーは、これまで多く市販されているが、書類を入れて重ねたり、持ち上げようとした時に滑って持ち上げにくかったり、書類を落としたりした。これらの欠点を除く為に作られたものである。ファイルの表の部分の一部又は全面にゴムや合成樹脂のような滑り止めを付着させることにより、クリアファイル・クリアホルダーをかさねた時滑らないように又持ち上げやすくしたものである。【選択図】図１
0003135470.tif 000002
【実用新案登録請求の範囲】
クリアファイル・クリアホルダーの外側の全面又は一部に滑り止めを付け、重ねた時、持ち上げた時に滑り落ちないようにしたクリアファイル・クリアホルダー
【考案の詳細な説明】
〔実用新案登録請求の範囲〕
市販のクリアファイル・クリアホルダーを持つ時、滑り落ちたりしないように滑り止めを付けたクリアファイル・クリアホルダー
【考案の詳細な説明】
この実用新案は、クリアファイル・クリアホルダーを持ったり又重ねたときに滑らないように合成樹脂やゴム等で外側の一部又は全面に滑り止めを付けたものである。
クリアファイル・クリアホルダーに書類を入れて持ち上げたり重ねたりした時滑って落としたりした。これらの欠点を補うために作られたものである。
図面で説明すれば、クリアファイル・クリアホルダーの外側の部分の片面又は両面の一部又は全面に滑り止めを付けたものである。
【図面の簡単な説明】
【図１】は正面図
【図２】は断面図（拡大図）
【図１】
0003135470.tif 000003
【図２】
0003135470.tif 000004
【手続補正書】
【提出日】平成19年6月18日(2007.6.18)
【手続補正１】
【補正対象書類名】実用新案登録請求の範囲
【補正対象項目名】全文
【補正方法】変更
【補正の内容】
【実用新案登録請求の範囲】
【請求項１】
クリアファイル・クリアホルダーの外側の全面又は一部に滑り止めを付け、重ねた時、持ち上げた時に滑り落ちないようにしたクリアファイル・クリアホルダー
(57)【要約】【課題】清潔にマイクロフォンを利用するためのマイクロフォンカバー。【解決手段】宣伝活動用に写真や宣伝内容、番号、記号、ニックネーム、イニシャルなどを記載して大勢の使用でも自分用としてわかるように、使い捨て用で利用する清潔でデザインされたマイクロフォンのカバー。【選択図】図１
0003135467.tif 000002
【実用新案登録請求の範囲】
【請求項１】
防水加工、抗菌加工を施し、マイクロフォンに雑菌や雑音が入らないように施し、広告内容や写真、デザイン、香り、マイナスイオンなどの効果をマイクロフォンのカバーとして脱着利用し、使い捨てる清潔なマイクロフォンカバー。
【考案の詳細な説明】
【技術分野】
【０００１】マイクロフォンを清潔に利用する。
【技術背景】
【０００２】マイクロフォンを清潔に雑音などからも守りながら音声を配信するために使い捨てにして、広告費用をマイクロフォンカバーの使い捨て用に応用する。
【考案の開示】
【考案が解決しようとする課題】
【０００３】使い捨てのマクロフォンカバーにするためのコストをレコード会社、お勧め広告などのスポンサー、クライアントから得ることで、カラオケ費用に影響しない。
【考案を解決しようとするための手段】
【０００４】広告、おすすめメニュー、記念写真、デザインをオリジナルにすることで、マイクロフォンに魅力を持たせながらも清潔に歌やトーク、ゲームなどを楽しむ。
【考案の効果】
【０００５】使い捨てにすることで清潔にする効果、デザインで表現や広告、オリジナル製品としても楽しめる効果的な印象や売り上げ効果などを躍進する。
【考案を実施するための最良の形態】
【０００６】マイクロフォンをノイズ、薬品を使用せず、使い捨て効果でマイクロフォンや使用者それぞれを絶対に清潔であるようにする。オリジナルデザインを広告より得る印象としてマイクロフォンにフィットするイメージをデザインに応用することで、使用者から支払われる費用の負担を削減、殺菌スプレー費なども光殺菌にすることで削減することができる。
【実施例】
【０００７】デザインで洗練された使い捨てマイクロフォンカバーであれば、図１のような印象を与えながら使用者とマイクロフォンを清潔に保つ。そして、使い捨てマイクロフォンカバーは、広告仕様としてスポンサーの印象をそれぞれの販売促進効果に活用するとこで躍動感のある魅せる効果や清潔を使用する者からも良い効果を高める。【０００８】多種のネットの重層、防水効果、アロマなど多種の香りやマイナスイオン効果などの選択を行える。擦れてマイクに雑音が入らない機能、広告などを応用することで使用者の支払いを削減して、宣伝の効果をもたらす。
【産業上の利用の可能性】
【００１０】それぞれの表現方法と印象をデザイン効果で変化させて魅せる必要があるなしに問わず、使い捨て効果で清潔を維持する。そして使用後は、ごみと混ぜると消臭効果を発揮する、また無薬で安全なハーブなどの息吸効果で室内の換気も良くなる。宣伝広告活躍効果費用から各自の清潔生活を継続するバックアップ費用に充てると、明るく楽しく元気産業の学習や善良な食源の清潔なデザインのバックアップなどが平等に行える。
【図面の簡単な説明】
【００１１】
【図１】本考案の脱着部の図
【図２】本考案の広告部の図
【図３】本考案の香りのする表面参考図
【図４】本考案のデザイン参考表面図
【図５】本考案のデザイン参考部の裏側表面図
【図６】本考案のデザイン表面と裏側、香りの参考図
【図７】伸縮脱着部の参考図
【符号の説明】
【００１２】１  防水ネット部
２  広告
３  伸縮部
４  香りのする絵の参考部
５  開口部
６  デザイン外側表面
７  内側表面部
８  開口部を重ねた絵の参考
９  写真
【図１】
0003135467.tif 000003
【図２】
0003135467.tif 000004
【図３】
0003135467.tif 000005
【図４】
0003135467.tif 000006
【図５】
0003135467.tif 000007
【図６】
0003135467.tif 000008
【図７】
0003135467.tif 000009
【手続補正書】
【提出日】平成19年6月14日(2007.6.14)
【手続補正１】
【補正対象書類名】明細書
【補正対象項目名】００１２
【補正方法】変更
【補正の内容】
【００１２】１  防水ネット部
２  広告
３  抱持部
４  香りのする写真、絵の参考例
５  開口部参考例
６  脱着デザイン部品の表面参考例
７  表示参考例
８  開口部を重ねた参考例
９  立体デザイン参考例
【手続補正２】
【補正対象書類名】図面
【補正対象項目名】図７
【補正方法】変更
【補正の内容】
【図７】
0003135467.tif 000010
(57)【要約】【課題】造花とは別の容器に液体や固体の消臭剤をセットしており、大きさの制約や、外観デザインも制約されてしまうことから、使用することが出来る空間が限られていた造花を、外観デザインを損なうことなく消臭効果を付加することを可能とする。【解決手段】天然素材や化学繊維に消臭防カビ抗菌効果のある抗菌剤を吹きつけ、あるいは練りこんだ織物や編み物、あるいは樹脂を成型したものを部品として組み合わせる造花とすることで、容器を必要とせず、様々な空間に使用できる造花とすることが可能となる。【選択図】図１
0003135466.tif 000002
【実用新案登録請求の範囲】
【請求項１】
天然素材や化学繊維に消臭防カビ抗菌効果のある抗菌剤を吹きつけ、あるいは練りこんだ織物や編み物、あるいは消臭防カビ抗菌効果のある抗菌剤を吹きつけ、あるいは練りこんだ樹脂を成型したものを部品として組み合わせる。以上の如く構成されたことを特徴とする造花。
【考案の詳細な説明】
【技術分野】
【０００１】    本考案は天然素材や化学繊維に消臭防カビ抗菌効果のある抗菌剤を吹きつけ、あるいは練りこんだ織物や編み物、樹脂を成型したものを部品として組み合わせることで、ディスプレイやファッションのアクセントとしてだけではなく、使用する空間や人に最適な利便性を外観を損なうことなく付加することを可能とする造花に関するものである。
【背景技術】
【０００２】  従来の造花は外観デザインを主な特徴としており、消臭効果を備えた造花は別の容器に液体や固体の消臭剤をセットしていた。
【考案の開示】
【考案が解決しようとする課題】
【０００３】  これらには以下のような欠点があった。
外観デザインに特徴のあるものは、デザイン性を損ねることから消臭効果を期待することは困難であり、消臭効果のあるものは造花とは別の容器に液体や固体の消臭剤をセットしてあるため、大きさの制約もあり、外観デザインも制約されることから使用できる空間も限られていた。本考案はこれらの欠点を解決するためになされたものである。
【課題を解決するための手段】
【０００４】  天然素材や化学繊維に消臭防カビ抗菌効果のある抗菌剤を吹きつけ、あるいは練りこんだ織物や編み物、樹脂を成型したものを部品として組み合わせる造花とすることで、容器を必要とせず、様々な空間に使用できる造花とすることが可能となる。
【考案の効果】
【０００５】  天然素材や化学繊維に消臭防カビ抗菌効果のある抗菌剤を吹きつけ、あるいは練りこんだ織物や編み物、樹脂を成型したものを部品として組み合わせる造花とすることで、容器を必要とせず、様々な空間に使用することが可能となる。また、コサージュとして使用することも可能であり、ハンガーに吊るして保管している状態での染み付いた臭いの消臭効果も期待できることから、ディスプレイやファッションのアクセントとしてだけではなく、使用する空間や人に最適な利便性を外観デザインを損なうことなく付加することが可能となり産業発展に貢献できる。
【考案の実施するための最良の形態】
【０００６】  天然素材や化学繊維に消臭防カビ抗菌効果のある抗菌剤を吹きつけ、あるいは練りこんだ織物や編み物、樹脂を成型したものを部品として組み合わせることで造花とする。本考案は以上の構成で使用するときは、店舗やオフィス、住居などの消臭効果のあるディスプレイやコサージュなどのファッション小物とする。
【図面の簡単な説明】
【図１】店舗など空間に使用する造花にした場合の参考図
【図２】コサージュ（胸や肩、襟につける花飾り）とした場合の参考図
【符号の説明】
（１）は消臭・防カビ・抗菌効果のある天然素材や化学繊維の織物や編み物
（２）は消臭・防カビ・抗菌効果のある樹脂を成型した部品
（３）は透明な花器
【図１】
0003135466.tif 000003
【図２】
0003135466.tif 000004
【手続補正書】
【提出日】平成19年6月19日(2007.6.19)
【手続補正１】
【補正対象書類名】実用新案登録請求の範囲
【補正対象項目名】全文
【補正方法】変更
【補正の内容】
【実用新案登録請求の範囲】
【請求項１】
天然素材または科学繊維の織物や編み物（１）と樹脂を成型したもの（２）を部品として組み合わせた造花であって、
天然素材または科学繊維の織物や編み物（１）は消臭防カビ抗菌効果のある抗菌剤を吹きつける、あるいは練り込ませたものであり、
樹脂を成型したもの（２）は消臭防カビ抗菌効果のある抗菌剤を吹きつける、あるいは練り込ませた樹脂を成型したものであることを特徴とする造花。
(57)【要約】      （修正有）【課題】喫煙者がタバコに火を点けようとする度に、前回の喫煙時からの経過時間を知り、喫煙間隔が短い時などは喫煙を思い止まらせる。【解決手段】喫煙時に必需品である喫煙用ライターにストップウォッチを内蔵し本体表面の見えやすい箇所にストップウォッチ表示部を配することにより着火時、前回喫煙時よりの経過時間を確認でき繰り返し使用することにより自分でたばこが一番美味しく感じられる喫煙間隔を自覚でき喫煙間隔のコントロールに役立ち禁煙意識も高まる。また、着火スイッチ内にストップウォッチの各スイッチを内蔵する事により、わずらわしいストップウォッチのボタン操作を無くし喫煙時の着火動作のみでストップウォッチのボタン操作が完了できる。【選択図】図４
0003135493.tif 000002
【実用新案登録請求の範囲】
【請求項１】
喫煙用ライター本体内部にストップウォッチの回路盤、配線、ボタン電池をガス室と分離して内蔵し前記ストップウォッチの表示部を本体表面の見えやすい箇所に配し前記喫煙用ライターの着火スイッチ内に前記ストップウォッチのリセットスイッチ及びスタートスイッチを設け着火の作業と連動して同時に前記ストップウォッチが作動し次回喫煙時に前回喫煙時からの経過時間を確認できる喫煙間隔自覚ライター。
【考案の詳細な説明】
【技術分野】
【０００１】喫煙用ライターに関する。
【背景技術】
【０００２】喫煙用ライター部分は世間一般に広く知られている電子ガスライターで、１００円ライターなどもある。【０００３】ストップウォッチ部分は陸上競技で使用される物やキッチンタイマーなどがある。
【考案の開示】
【考案が解決しようとする課題】
【０００４】従来の喫煙用ライターは、たんにタバコに火を点けるためだけのものだった。【０００５】本考案は喫煙者がタバコに火を点けようとする度に、前回の喫煙時からの経過時間を知り、喫煙間隔が短い時などは喫煙を思い止まらせることを目的とする。
【課題を解決するための手段】
【０００６】前回喫煙時からの経過時間を毎回知りえるために、喫煙時に必需品である喫煙用ライター本体表面にストップウォッチ表示部を配した。【０００７】また、ストップウォッチを作動させるためのスイッチを喫煙用ライター着火スイッチ内に設けた。【０００８】就寝時など長時間使用しない時のストップウォッチ部電池節約のための電源スイッチを設けた。
【考案の効果】
【０００９】上述したように喫煙の都度、前回喫煙時からの経過時間が分かり喫煙の間隔を把握でき、喫煙本数の低下及び禁煙の意識が高まる。【００１０】また、ストップウォッチ部の面倒なスイッチ動作を着火スイッチ内の設けているため従来の喫煙用ライターの着火動作のみで喫煙経過時間を知りえる。
【考案を実施するための最良の形態】
【００１１】以下、本考案の実施の形態を図１〜図４に基ついて説明する。
１は本体。本体表面の見えやすい部分にストップウォッチ表示部３を配する。表示はデジタル表示で時と分を表す。表示は０から１，２，３とカウントアップ表示する。
図２のようにライター本体内部にストップウォッチの回路盤１３、配線９、１０，１１、ボタン電池１２、スイッチ７，８をガス室１７と分離して内蔵する。ボタン電池１２を交換の為の蓋５を設ける。着火動作時において圧電素子１８を作動させるための圧電素子スイッチ部６を押し下げるために着火スイッチ２を指で押し下げる。この動作は一般に普及している電子ライターとなんら変わりはない。図３のように着火スイッチ２を指で押し下げた状態で着火スイッチ２の最下部がリセットスイッチ８を押しストップウォッチ表示部３がリセットされ表示が０になる。着火スイッチ２から指を離すと図２のように圧電素子スイッチ部６の反発力で着火スイッチ２が上方向にせり上がり着火スイッチ２下部の突起部がスタートスイッチ７を押しストップウォッチ表示部３がカウントアップを開始する。【００１２】使用方法は、喫煙時に本体１を握り親指で着火スイッチ２を下方向に押し下げる。着火と同時に着火スイッチ２下部がリセットスイッチ８を押すことにより表示部３の表示が０になる。たばこに火を点け親指を着火スイッチ２から離す。圧電素子スイッチ部６の反発で着火スイッチ２が上方向にせり上がり着火スイッチ２下部の突起部がスタートスイッチ７を押し表示部３がリセット状態の０からカウントアップを始める。次回喫煙時に着火の前にまず表示部３を見る、ここで前回喫煙時からの経過時間を確認し経過時間が短い時は喫煙を思いとどまり自分の納得できる時間が経過していれば喫煙するという喫煙間隔のバロメーターとして使用する。
【図面の簡単な説明】
【００１３】
【図１】本考案の実施形態を示すライター本体側面から見た外観図
【図２】同ライター平常時の図４における本体Ａ−Ａ線断面図
【図３】同ライター着火時の図４における本体Ａ−Ａ線断面図
【図４】同ライター外観斜視図
【符号の説明】
【００１４】１    喫煙間隔自覚ライター本体
２    着火スイッチ
３    ストップウォッチ表示部
４    ストップウォッチ電源スイッチ
５    ボタン電池交換用蓋
６    圧電素子スイッチ部
７    ストップウォッチスタートスイッチ
８    ストップウォッチリセットスイッチ
９    ストップウォッチ表示部への配線
１０  スイッチ部の配線
１１  電池部の配線
１２  ボタン電池
１３  ストップウォッチの回路盤
１４  ガス噴出口
１５  ノズル
１６  ガス注入口
１７  ガス室
１８  圧電素子
１９  圧電素子火花発生部
２０  炎
【図１】
0003135493.tif 000003
【図２】
0003135493.tif 000004
【図３】
0003135493.tif 000005
【図４】
0003135493.tif 000006
(57)【要約】      （修正有）【課題】傘の柄の上部に名札をつけられるようにすることで、自分の傘が一目でわかり、他人の傘との取り間違いを防止する。【解決手段】１は傘の柄部分。２の傘の柄の上部のくぼみ部分と同じ大きさのプラスチック等でできた名札入れを貼り付ける。くぼませてから名札入れを貼り付けることにより、傘の柄部分が出っ張らず、かつ名札入れが取れにくくなる。３の名札入れの横にある開口部から名前等を書く用紙を出し入れできるようにする。【選択図】図１
0003135492.tif 000002
【実用新案登録請求の範囲】
【請求項１】
傘の持ち手の上部にくぼみを作り、くぼみ部分と同じ大きさの透明なプラスチック等でできた名札入れを貼り、中に名前等を書いた紙などを横の開口部から差し入れられるようにする事を特徴とする、自分の傘が一目でわかる傘の柄
【考案の詳細な説明】
【技術分野】
【０００１】  本考案は傘の持ち手の上部にくぼみを作り、そこに名札入れを貼り付けた傘の柄に関するものである。
【背景技術】
【０００２】  小学校などで置き傘をした場合、同じような黄色い傘が傘立てにたくさん置いてある。
【考案の開示】
【考案が解決しようとする課題】
【０００３】  置き傘などで同じような傘が同じ場所にたくさん置いてあると、お互い間違えやすいので、この欠点を解決しようとするものである。
【課題を解決するための手段】
【０００４】  本考案は、傘の柄の丸くなっている上部にくぼみを作り、そこにくぼみ部分と同じ大きさの透明なプラスチック等でできた名札入れを貼り、名前等を書いた紙などを名札入れの横の開口部から入れられるようにすることで問題点を解決している。
【考案の効果】
【０００５】  傘の柄の上部に名前等を入れられるようにすることにより、学校の置き傘などで、同じ傘がたくさんあっても他人の傘との間違いを防止することができる。
【考案を実施するための最良の形態】
【０００６】  傘の柄の丸くなっている上部にくぼみを作り、くぼみと同じ大きさの透明なプラスチック等でできた名札入れを貼り、中に名前等を書いた紙などを入れられるようにすることで、一番見やすいところに名前等が入ることになる。
【実施例】
【０００７】  添付図面に従って実施例を説明する。１は傘の柄部分。２の傘の柄の上部のくぼみ部分と同じ大きさのプラスチック等でできた名札入れを貼り付ける。くぼませてから名札入れを貼り付けることにより、傘の柄部分が出っ張らず、かつ名札入れが取れにくくなる。３の名札入れの横にある開口部から名前等を書く用紙を出し入れできるようにする。
【図面の簡単な説明】
【０００８】
【図１】  本考案の傘の側面図
【図２】  本考案の傘の上面図
【符号の説明】
【０００９】  １    傘の柄
２    名札部分
３    名前等を書く紙を出し入れする開口部
【図１】
0003135492.tif 000003
【図２】
0003135492.tif 000004
(57)【要約】【課題】    本考案は棒状本体先端の球体磁石が回転する一段目と球水晶体が回転する二段目を二連に組み合わせて装着するかが課題である。【解決手段】    本体の材質はすべてプラスチック材料を使用し一段目は球体磁石専用とし二段目は球水晶体専用としてネジによって合体し一段目は磁力による血流促進として使用し二段目は水晶の波動による細胞の活性や免疫力の促進とし又カプセルに投入の薬液やエステオイルによりマッサージ効果を高める。【選択図】図１
0003135500.tif 000002
【実用新案登録請求の範囲】
【請求項１】
棒状本体先端に取り付けた球体回転磁石部と球体回転水晶部を一体にした二連式エステマッサージ美容器
【考案の詳細な説明】
【技術分野】
【０００１】  本考案は本体先端に回転球体を二重連に装着したエステ美容器に関する。
【背景技術】
【０００２】  従来のエステマッサージ美容器には球体磁石の回転を利用したものはあるが球体磁石と水晶球体の二連で使用するエステ美容器はなかった。
【考案の開示】
【考案が解決しようとする課題】
【０００３】  本体の先端に球体磁石が回転する磁石部一段目と球水晶体が回転する水晶部二段目を組み合わせて二連するかが課題である。
【課題を解決するための手段】
【０００４】  本体の材質はすべてプラスチック材質の材料を使用し一段目は磁力の作用の球体磁石専用頭部とし二段目は薬液に強い水晶球体専用部を中間部としエステ用オイルなどの薬液を点眼容器カプセルに入れた、球の回転によって薬液が少しずつ染み出す様にした、磁石球体部と水晶球体部に各々専用部として分けネジ構造によって合体し二連構造にして解決した。
【考案の効果】
【０００５】  本考案は回転する球体磁石部とエステオイル薬液を使用する球体水晶部に分ける事によって血流の流れを促進する球体磁石部と水晶波動による細胞の活力、免疫力の増大を促進する球体水晶体部に分け、球体水晶部のみ薬液を使用しスムーズに水晶球が回転しながらエステ薬液オイルが染み出てマッサージとエステ美容の効果がある。
【考案を実施するための最良の形態】
【実施例】
【０００６】  本考案の図面に従って説明する、（図１）は構造断面図で１本体に５球磁石を５ａ固定台ネジではめ込んだ４球体磁石部を２のネジ部で３水晶球体の３ａ水晶体部を接続連結する、１本体に６点眼式カプセル容器に６ａ薬液などエステオイルを投入して１本体に３ａ水晶体部を差し込みネジで固定すると７スプリングによって６点眼式容器が押され３ａ水晶体部に密着固定される。【０００７】  血流、リンパ流の流れを促進するための利用であれば４球体磁石部のマッサージを行います。【０００８】  水晶波動による細胞の活性、免疫力の増進と肌表面の薬液エステオイルが染み出し美容効果を行います、セットで利用するとマッサージエステ美容効果が高まる。
【図面の簡単な説明】
【０００９】
【図１】  構造断面図
【符号の説明】
【００１０】  １  本体
２  ネジ部
３  水晶球体
３ａ  水晶体部
４  球体磁石部
５  球磁石
５ａ  固定台ネジ
６  点眼式容器
６ａ  薬液オイル
７  スプリング
【図１】
0003135500.tif 000003